(57)【要約】【課題】製造コストを上昇させず、確実な接続が可能で、取り扱いも容易であるため作業効率が向上する足場形成ユニット等を提供すること。【解決手段】複数の足場形成具１００ａと固定具２００と、を有し、足場形成具は、足場本体１０１ａと連接部１２０ａと接続部１３０ａと、を有し、接続部は、連接部の少なくとも中央領域に形成され、足場本体には、本体貫通開口１１１ａが形成され、接続部は、接続凹部１３２ａと接続凸部１３２ａと、を有し、接続凹部と接続凸部には、それぞれ凹部貫通開口１３３と凸部貫通開口１３４が形成され、接続凸部が接続凹部内に挿入されると、本体貫通開口、凹部貫通開口及び凸部貫通開口が相互に対応した位置となる構成となり、固定具が、本体貫通開口、凹部貫通開口及び凸部貫通開口に挿入される直線部２２０を有する足場形成ユニット１０。【選択図】図１
2006342615.tif 000002
【特許請求の範囲】
【請求項１】
利用者が歩行するための歩行部を有する複数の足場形成具と、
前記複数の足場形成具を接続するための固定具と、を有する足場形成ユニットであって、
前記足場形成具は、
前記歩行部を備える足場本体と、
他の足場形成具と連接するための連接部と、
他の足場形成具と接続するための接続部と、を有し、
前記接続部は、前記連接部の少なくとも中央領域に形成され、
前記足場本体には、本体貫通開口が形成され、
前記接続部は、
前記足場本体内に配置されるべき接続凹部と、
前記足場本体から突出して形成される接続凸部と、を有し、
前記接続凹部と前記接続凸部には、それぞれ凹部貫通開口と凸部貫通開口が形成され、
前記接続凹部内に、他の足場形成具の前記接続凸部が挿入され、
前記接続凸部が、前記他の足場形成具の前記接続凹部内に挿入されると、前記本体貫通開口、前記凹部貫通開口及び前記凸部貫通開口が相互に対応した位置となる構成となり、
前記固定具が、前記本体貫通開口、前記凹部貫通開口及び前記凸部貫通開口に挿入される直線部を有することを特徴とする足場形成ユニット。
【請求項２】
前記足場本体には、前記本体貫通開口が、前記足場本体の前記連接部側の中央領域及び端部領域に、それぞれ２個ずつ形成され、
前記固定具は、
固定具本体と、
前記固定具本体の両端部に配置される２個の前記直線部と、を有していることを特徴とする請求項１に記載の足場形成ユニット。
【請求項３】
利用者が歩行するための歩行部を有する足場形成具であって、
前記歩行部を備える足場本体と、
他の足場形成具と連接するための連接部と、
他の足場形成具と接続するための接続部と、を有し、
前記接続部は、前記連接部の少なくとも中央領域に形成され、
前記足場本体には、本体貫通開口が形成され、
前記接続部は、
前記足場本体内に配置されるべき接続凹部と、
前記足場本体から突出して形成される接続凸部と、を有し、
前記接続凹部と前記接続凸部には、それぞれ凹部貫通開口と凸部貫通開口が形成され、
前記接続凹部内に、他の足場形成具の前記接続凸部が挿入され、
前記接続凸部が、前記他の足場形成具の前記接続凹部内に挿入されると、前記本体貫通開口、前記凹部貫通開口及び前記凸部貫通開口が相互に対応した位置となる構成となることを特徴とする足場形成具。
【請求項４】
前記足場本体には、前記本体貫通開口が、前記足場本体の前記連接部側の中央領域及び端部領域に、それぞれ２個ずつ形成されていることを特徴とする請求項３に記載の足場形成具。
【請求項５】
前記接続凹部には、前記接続凸部を内部に導くための案内部が形成され、
前記接続凸部は、基端部から先端部に向かって徐々に幅が狭くなるように形成され、
前記先端部が前記案内部によって案内される構成となっていることを特徴とする請求項３又は請求項４に記載の足場形成具。
【請求項６】
前記接続凹部は、前記歩行部側において、開口側が広く、奥側狭い略台形を成し、
前記接続凸部は、前記歩行部側において、基部側が広く、前記先端部側が狭い略台形を成し、
前記接続凹部内に前記接続凸部を挿入した際に、両者がクリアランスを介して配置される構成となっていることを特徴とする請求項３乃至請求項５のいずれかに記載の足場形成具。
【請求項７】
前記本体貫通開口が、不要物排出のための排出開口とも成っていることを特徴とする請求項３乃至請求項６のいずれかに記載の足場形成具。
【発明の詳細な説明】
【技術分野】
【０００１】
本発明は、複数枚の足場板等の足場形成具を相互に接続して配置する足場形成ユニット及び足場形成具に関するものである。
【背景技術】
【０００２】
従来より、多数枚の足場板を地面に安定した状態で敷設することができる足場板は提案されている（例えば、特許文献１）。
特許文献１に示すような足場板１は、同特許文献１に示すように、その両端部に雄型嵌合部５と雌型嵌合部６が形成されている。そして、これら雄型嵌合部５には係合穴１１が形成され、雌型嵌合部６には、弾性係止片１４ａが形成されている。
これら弾性係止片１４ａと係合穴１１と嵌合することで、複数の足場板が接続される構成となっている。
【特許文献１】特開２０００−２４０２７９号公報（図４等）
【発明の開示】
【発明が解決しようとする課題】
【０００３】
しかし、特許文献１の発明では、複数の足場板１を接続には、弾性係止片１４ａ等の複雑な機構を採用する必要があり、取扱が不便で、製造コストが上昇するという問題があった。
また、このような機構を用いないと、複数の足場板１の両端部に形成されている雄型嵌合部５と雌型嵌合部６との嵌合が不十分となり、同特許文献１の段落番号「００１２」に記載されているように、それぞれの端部に別個のピンを利用して係合させる必要があった。これでは、足場板１同士の接続や分離の作業が複雑となり、作業効率が低下するという問題があった。
【０００４】
そこで、本発明は、製造コストを上昇させず、確実な接続が可能で、取り扱いも容易であるため作業効率が向上する足場形成ユニット及び足場形成具を提供することを目的とする。
【課題を解決するための手段】
【０００５】
前記課題は、請求項１の発明によれば、利用者が歩行するための歩行部を有する複数の足場形成具と、前記複数の足場形成具を接続するための固定具と、を有する足場形成ユニットであって、前記足場形成具は、前記歩行部を備える足場本体と、他の足場形成具と連接するための連接部と、他の足場形成具と接続するための接続部と、を有し、前記接続部は、前記連接部の少なくとも中央領域に形成され、前記足場本体には、本体貫通開口が形成され、前記接続部は、前記足場本体内に配置されるべき接続凹部と、前記足場本体から突出して形成される接続凸部と、を有し、前記接続凹部と前記接続凸部には、それぞれ凹部貫通開口と凸部貫通開口が形成され、前記接続凹部内に、他の足場形成具の前記接続凸部が挿入され、前記接続凸部が、前記他の足場形成具の前記接続凹部内に挿入されると、前記本体貫通開口、前記凹部貫通開口及び前記凸部貫通開口が相互に対応した位置となる構成となり、前記固定具が、前記本体貫通開口、前記凹部貫通開口及び前記凸部貫通開口に挿入される直線部を有することを特徴とする足場形成ユニットにより達成される。
【０００６】
前記構成によれば、一の足場形成具の接続凹部内に、他の足場形成具の接続凸部が挿入され、一の足場形成具の接続凸部が、他の足場形成具の接続凹部内に挿入されると、本体貫通開口、凹部貫通開口及び凸部貫通開口が相互に対応した位置となる。
このため、これら本体貫通開口、凹部貫通開口及び凸部貫通開口を連結する直線部を有する固定具を、本体貫通開口側から開口に差し込むことで、これらを容易に固定することができる。
逆に、この固定具を例えば、本体貫通開口側から引き出すだけで、容易に複数の足場形成具の連結を解除させることができる。
また、接続部は連接部の少なくとも中央領域に形成されているので、接続部に固定具を配置することで、複数の足場形成具相互を強固に接続することが可能となる。
【０００７】
好ましくは、請求項２の発明によれば、請求項１の構成において、前記足場本体には、前記本体貫通開口が、前記足場本体の前記連接部側の中央領域及び端部領域に、それぞれ２個ずつ形成され、前記固定具は、固定具本体と、前記固定具本体の両端部に配置される２個の前記直線部と、を有していることを特徴とする足場形成ユニットである。
【０００８】
前記構成によれば、固定具の２個の直線部を、足場形成具に２個形成されている本体貫通開口側から差し込むことで、本体貫通開口と対応して配置される凹部貫通開口及び凸部貫通開口にも、直線部が配置され、これらを２カ所で固定することが可能となる。
この２カ所は、足場本体の連接部側の中央領域及び端部領域であり、端部のみでない。このため、端部領域のみで固定する場合に比べ、複数の足場形成具の相互の固定を強固にすることができる。
また、利用者は固定具の固定具本体を把持して、２個の直線部を同時に本体開口等に差し込むことができるので、容易且つ迅速に固定作業及び解体作業を行うことができる。
【０００９】
前記課題は、請求項３の発明によれば、利用者が歩行するための歩行部を有する足場形成具であって、前記歩行部を備える足場本体と、他の足場形成具と連接するための連接部と、他の足場形成具と接続するための接続部と、を有し、前記接続部は、前記連接部の少なくとも中央領域に形成され、前記足場本体には、本体貫通開口が形成され、前記接続部は、前記足場本体内に配置されるべき接続凹部と、前記足場本体から突出して形成される接続凸部と、を有し、前記接続凹部と前記接続凸部には、それぞれ凹部貫通開口と凸部貫通開口が形成され、前記接続凹部内に、他の足場形成具の前記接続凸部が挿入され、前記接続凸部が、前記他の足場形成具の前記接続凹部内に挿入されると、前記本体貫通開口、前記凹部貫通開口及び前記凸部貫通開口が相互に対応した位置となる構成となることを特徴とする足場形成具により達成される。
【００１０】
前記構成によれば、一の足場形成具の接続凹部内に、他の足場形成具の接続凸部が挿入され、一の足場形成具の接続凸部が、他の足場形成具の接続凹部内に挿入されると、本体貫通開口、凹部貫通開口及び凸部貫通開口が相互に対応した位置となる。
このため、これら本体貫通開口、凹部貫通開口及び凸部貫通開口を連結する直線部を有する固定具を、例えば本体貫通開口側から開口に差し込むことで、これらを容易に固定することができる。
逆に、この固定具を例えば、本体貫通開口側から引き出すだけで、容易に複数の足場形成具の連結を解除させることができる。
また、接続部は連接部の少なくとも中央領域に形成されているので、接続部に固定具を配置することで、複数の足場形成具相互を強固に接続することが可能となる。
【００１１】
好ましくは、請求項４の発明によれば、請求項３の構成において、前記足場本体には、前記本体貫通開口が、前記足場本体の前記連接部側の中央領域及び端部領域に、それぞれ２個ずつ形成されていることを特徴とする足場形成具である。
【００１２】
前記構成によれば、足場形成具に２個形成されている本体貫通開口側から直線状の固定具を差し込むことで、本体貫通開口と対応して配置される凹部貫通開口及び凸部貫通開口
を２カ所で固定することが可能となる。
この２カ所は、足場本体の連接部側の中央領域及び端部領域であり、端部のみでない。このため、端部領域のみで固定する場合に比べ、複数の足場形成具の相互の固定を強固にすることができる。
【００１３】
好ましくは、請求項５の発明によれば、請求項３又は請求項４の構成において、前記接続凹部には、前記接続凸部を内部に導くための案内部が形成され、前記接続凸部は、基端部から先端部に向かって徐々に幅が狭くなるように形成され、前記先端部が前記案内部によって案内される構成となっていることを特徴とする足場形成具である。
【００１４】
前記構成によれば、接続凹部には、接続凸部を内部に導くための案内部が形成され、接続凸部は、基端部から先端部に向かって徐々に幅が狭くなるように形成され、先端部が案内部によって案内される構成となっている。
このため、利用者は、接続凸部の先端部の幅が狭い部分を接続凹部の案内部に沿って挿入させることで、迅速且つスムーズに接続凹部内に挿入させることができる。
【００１５】
好ましくは、請求項６の発明によれば、請求項３乃至請求項５のいずれかの構成において、前記接続凹部は、前記歩行部側において、開口側が広く、奥側狭い略台形を成し、前記接続凸部は、前記歩行部側において、基部側が広く、前記先端部側が狭い略台形を成し、前記接続凹部内に前記接続凸部を挿入した際に、両者がクリアランスを介して配置される構成となっていることを特徴とする足場形成具である。
【００１６】
前記構成によれば、接続凹部と接続凸部とは共に略台形を成し、接続凹部内に接続凸部を挿入した際に、両者がクリアランスを介して配置される。このため、両者は精度良く位置決めされるので、本体貫通開口、凹部貫通開口及び凸部貫通開口を精度良く、相互に対応した位置とすることができる。
したがって、利用者は、固定具の挿入又は取り外しを容易にすることができる。
【００１７】
好ましくは、請求項７の発明によれば、請求項３乃至請求項６のいずれかの構成において、前記本体貫通開口が、不要物排出のための排出開口とも成っていることを特徴とする足場形成具である。
【００１８】
前記構成によれば、本体貫通開口が、不要物排出のための排出開口とも成っているので、不要物排出口以外に本体貫通開口を別個形成する必要がなく、製造コストを上昇を抑えることができる。
【発明の効果】
【００１９】
本発明は、製造コストを上昇させず、確実な接続が可能で、取り扱いも容易であるため作業効率が向上する足場形成ユニット及び足場形成具を提供できるという利点がある。
【発明を実施するための最良の形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明の足場形成ユニットの実施の形態である足場板ユニット１０の組み立て状態を示す概略図である。
図１に示すように、足場板ユニット１０は、利用者が歩行するための歩行部である例えば、歩行面１１０ａ、１１０ｂを上面に有する足場形成具である例えば、足場板１００ａ、１００ｂを複数個、有している。
また、足場板ユニット１０は、複数の足場板１００ａ、１００ｂを接続するための固定具である例えば、ジョイントピン２００を有している。
【００２２】
図２（ａ）は、図１の足場板１００ａを示す概略平面図であり、（ｂ）は（ａ）の概略左側面図である。
図２（ａ）（ｂ）に示すように、足場板１００ａは足場板本体１０１ａの両側の面に、他の足場板１００ｂ等と図１に示すように連接するための連接面１２０ａが形成されている。
この連接面１２０には他の足場板１００ｂと接続するための接続部である例えば、接続具１３０ａが配置されている。
この接続具１３０ａは、図２（ａ）（ｂ）に示すように、足場板本体１０１ａの連接面１２０ａの中央領域を含む略全域に形成されている。
【００２３】
図３は、図２（ａ）の足場板１００ａの概略斜視図である。図３に示すように、足場板本体１０１ａの歩行面１１０ａには、歩行面１１０ａ上に利用者の靴の泥等の不要物が溜まらないための排出開口である例えば、泥等落下用開口１１１ａが多数形成されている。
また、歩行面１１０ａには、その表面が突出して形成される凸状の滑り止め１１２ａも多数形成されている。
この滑り止め１１２ａは、その中心が貫通口となっており、泥等落下用開口１１１ａと同様に不要物を歩行面１１０ａ留めずに開口から落下させる構成となっている。
このように、足場板本体１０１ａには、泥等落下用開口１１１ａや滑り止め１１２ａの開口が多数形成され、これらが本体貫通開口の一例となっている。
【００２４】
図４は、図１の足場板本体１０１ａ、１０１ｂにそれぞれ配置される接続具１３０ａ、１３０ｂを示す概略斜視図である。
接続具１３０ａ、１３０ｂは、図３及び図４に示すように、足場板１００ａ、１００ｂ内に配置されるべき接続凹部１３１ａ、１３１ｂと、足場板１００ａ、１００ｂから図２（ａ）に示すように突出して形成される接続凸部１３２ａ、１３２ｂとを、それぞれ２個ずつ有している。
【００２５】
これら接続凸部１３２ａ、１３２ｂと接続凹部１３１ａ、１３１ｂには、それぞれ凹部貫通開口１３３、凸部貫通開口１３４が形成されている。
そして、図４の接続具１３０ａの２つの接続凸部１３２ａ、１３２ａが、他の接続具１３０ｂの接続凹部１３２ｂ、１３２ｂ内に挿入される構成となっている。
同時に、他の接続具１３０ｂの２つの接続凸部１３２ｂ、１３２ｂが接続具１３０ａの接続凹部１３１ａ、１３１ａ内に挿入される構成となっている。
【００２６】
すると、図１に示すように、足場板１００ａでは、足場板本体１０１ａの泥等落下用開口１１１ａと、図４の凸部貫通開口１３４及び凹部貫通開口１３３とが同じ位置、すなわち対応した位置となる。
同様に、足場板本体１０１ａの滑り止め１１２ａの開口と図４の凸部貫通開口１３４とが同じ位置となる。
【００２７】
このように２つの接続具１３０ａ、１３０ｂの凸部貫通開口１３４と凹部貫通開口１３３並びに、足場板本体１０１ａの泥等落下用開口１１１ａ又は滑り止め１１２ａの開口とが一致する部分に、図１に示すようにジョイントピン２００を挿入することで、両接続具１３０ａ、１３０ｂがジョイントピン２００により接続される構成となっている。
【００２８】
図５は、図１のジョイントピン２００の構成を示す概略図である。図５に示すように、ジョイントピン２００は、固定具本体である例えば、ピン本体２１０と、ピン本体２１０の両端部に配置される２個の直線部２２０を有している。
したがって、ジョイントピン２００の２個の直線部２２０、２２０が図１に示すように足場板本体１０１ａ側から同時に挿入されることで、２つの足場板１００ａ、１００ｂが接続される構成となっている。
【００２９】
このように、本発明の実施の形態によれば、図１及び図４に示すように、足場板本体１０１ａの接続凹部１３１ａ内に、他の足場板本体１０１ｂの接続凸部１３２ｂを挿入し、同時に他の足場板本体１０１ｂの接続凹部１３１ｂ内に足場板本体１０１ａの接続凸部１３２ａを挿入することで、足場板本体１０１ａの泥等落下用開口１１１ａと接続凹部１３１ａの凹部貫通開口１３３及び接続凸部１３２ｂの凸部貫通開口１３４は同じ位置となる。
また、足場板本体１０１ａの滑り止め１１２ａの開口と、接続凹部１３１ａの凹部貫通開口１３３及び接続凸部１３２ｂの凸部貫通開口１３４とは同じ位置となる。
【００３０】
このため、図５のジョイントピン２００の２個の直線部２２０、２２０のそれぞれを、足場板本体１０１ａの泥等落下用開口１１１ａ側と滑り止め１１２ａの開口側から同時に差し込むことで、図１に示すように足場板１００ａと足場板１００ｂとを容易に接続するこができる。
また、図１に示すように、他の足場板本体１０１ｂにおいても同様にジョイントピン２００を差し込むことで、より強固に接続を維持することができる。
【００３１】
逆に足場板１００ａと足場板１００ｂとを分離するときは、利用者が図１のジョイントピン２００のピン本体２１０を把持して引き抜くだけで容易に足場板１００ａ等の相互の連結を解除し、分離させることができる。
【００３２】
また、本実施の形態では、接続具１３０ａの接続凸部１３１ａ等や接続凹部１３２ａ等の一部は、少なくとも足場板本体１０１ａ等の連接面１２０ａの端部（図１の上下方向の端部）だけではなく中央領域にも形成されているので、ジョイントピン２００を差し込むことで、足場板１００ａ、１００ｂ相互を強固に接続することができる構成となっている。
したがって、本実施の形態では、足場板相互が端部でのみ接続されている従来と異なるので、接続が不十分となることを未然に防ぐことができる構成となっている。
【００３３】
また、図１に示すように、足場板本体１０１ａでは、ジョイントピン２００の直線部２２０の一方を挿入する開口である滑り止め１１２ａが、足場本体１０１ａの連接面１２０ａ側の中央領域に形成されている。
一方、ジョイントピン２００の他方の直線部２２０を挿入する開口である泥等落下用開口１１１ａは、足場本体１０１ａの連接面１２０ａ側の端部領域（図１の上端部）に形成されている。
足場板本体１０１ｂでは、図１に示すように、泥等落下用開口１１１ｂは、図１の下端部の端部領域に形成されている。
したがって、ジョイントピン２００は、足場板１００ａと足場板１００ｂとの接続に際し、足場板本体１０１ａでは、中央領域と上端部領域を固定し、一方、足場板本体１０１ｂでは、中央領域と下端部領域を固定する構成となっている。
このため、足場板の上端部や下端部の領域のみを固定する場合に比べ、足場板１００ａ等相互を格段に強く接続することができる。
【００３４】
また、図４に示すように、例えば、接続具１３０ａ、１３０ｂの接続凹部１３１ａ、１３１ｂの内側には、接続凸部１３２ｂ、１３２ａを内部に導くための案内部である例えば、テーパ部１３５が形成されている。
そして、接続凸部１３２ａ、１３２ｂは、図４に示すように、その基端部から先端部に向かって徐々に幅（図４の左右方向）が狭くなるように形成されている。
このため、接続凸部１３２ａ、１３２ｂの先端部が接続凹部１３１ａ、１３１ｂのテーパ部１３５によって案内される構成となっている。
したがって、利用者は、接続凸部１３２ａ等の幅が狭い部分を接続凹部１３１ｂ等のテーパ部１３５に沿って挿入させることで、迅速且つスムーズに、接続凸部１３２ａ等を接続凹部１３１ａ等内に挿入させることができる。
【００３５】
また、図４に示すように、接続凹部１３１ａ、１３１ｂは、平面から見て、開口側（基部側）が広く、奧側（先端側）が狭い略台形を成し、接続凸部１３２ａ、１３２ｂは、平面から見て、基部が広く、先端部側が狭い略台形を成している。
また、接続凸部１３２ａ等が接続凹部１３１ｂ等内に挿入された際に、両者がクリアランスを介して配置されている構成となっている。
このため、接続凸部１３２ａ等が接続凹部１３１ｂ等内に挿入されると、両者は精度良く位置決めされ、泥等落下用開口１１１ａ又は滑り止め１１２ａの開口と、凹部貫通開口１３３、凸部貫通開口１３４とが精度良く同じ位置に配置されることになる。
したがって、利用者は、ジョイントピン２００の挿入又は取り外しを容易にすることができる構成となっている。
【００３６】
なお、本実施の形態では、図１等に示すように、ジョイントピン２００を挿入するための、足場板本体１０１ａ等の開口が、泥等落下用開口１１１ａ等や滑り止め１１２ａ等の開口を兼ねている。このため、ジョイントピン２００を挿入するための開口を足場板本体１０１ａ等に特別に形成する必要がなく、足場板１００ａ等の製造コストの上昇を抑えることができる。
【図面の簡単な説明】
【００３７】
【図１】本発明の足場形成ユニットの実施の形態である足場板ユニットの組み立て状態を示す概略図である。
【図２】（ａ）は、図１の足場板を示す概略平面図であり、（ｂ）は（ａ）の概略左側面図である。
【図３】図２（ａ）の足場板の概略斜視図である。
【図４】図１の足場板本体にそれぞれ配置される接続具を示す概略斜視図である。
【図５】図１のジョイントピンの構成を示す概略図である。
【符号の説明】
【００３８】
１０・・・足場板ユニット、１００ａ・・・足場板、１０１ａ・・・足場板本体、１１０ａ・・・歩行面、１１１ａ・・・泥等落下用開口、１１２ａ・・・滑り止め、１２０ａ・・・連接面、１３０ａ・・・接続具、１３１ａ・・・接続凹部、１３２ａ・・・接続凸部、１３３・・・凹部貫通開口、１３４・・・凸部貫通開口、１３５・・・テーパ部、２００・・・ジョイントピン、２１０・・・ピン本体、２２０・・・直線部
【図１】
2006342615.tif 000003
【図２】
2006342615.tif 000004
【図３】
2006342615.tif 000005
【図４】
2006342615.tif 000006
【図５】
2006342615.tif 000007